(57)【要約】【課題】  従来の本立は床に設置するものであるので、設置箇所は壁を背にした床部分に限られてしまっていた。また、地震等で揺れた場合には倒れる危険があり、それを防止するには、専用の固定金具によって背後の壁面に固定する等の何らかの対策を講じておく必要があった。【解決手段】  本立本体２０の一部を成す側板１１，１２の上部に、ひも通し穴６〜９を開け、これらに吊ひも４，５の端部を通して結びつけ、吊本立１を構成する。吊ひも４，５を、室内壁面の上方に固定されたフック２，３に引っ掛けて吊本立１を吊るす。吊ひもを引っ掛けるフックの高さ位置，左右方向の位置、及び吊ひもの長さを調節することにより、床から天井までの壁面内の任意の位置に、吊本立１を設置することが出来る。また、ひもで吊られているので、地震があっても、少し揺れるだけで倒れることはなく、安全である。【選択図】        図１
2005270205.tif 000002
【特許請求の範囲】
【請求項１】
両側面を成す２つの側板と、該２つの側板間に間隔を置いて水平方向に固定された任意枚数の横板とから成る本立本体と、
該本立本体の両側をそれぞれ別々に吊り下げるための吊ひもと、
前記側板の上部に前記吊ひもを取り付けるために設けられた吊ひも取付け部と
を具え、
室内壁面の上方に固定されたフックに前記吊ひもを引っ掛け、該吊ひもの長さを調節することにより、壁面上の任意の位置に設置し得るようにしたことを特徴とする吊本立。
【発明の詳細な説明】
【技術分野】
【０００１】
本発明は、壁面にひも等で吊り下げるようにした吊本立に関するものである。
【背景技術】
【０００２】
本立と言えば、通常，側板と横板とから成っている。側板は両側の縦方向の板であり、横板は本を乗せる水平部分を成す板である。横板は、両側の側板間に必要に応じて何枚か取り付けられる。また、更に背面板が取り付けられるものもある。背面板は、本立の背面を覆う板である。
このような本立は、一般に独立して床に置いて使用される。なお本立には、壁面に作り付けとされたもののように、独立していないものもある。
【特許文献１】特公平０６−０９１８５２号公報
【発明の開示】
【発明が解決しようとする課題】
【０００３】
（問題点）
しかしながら、前記した従来の本立には、次のような問題点があった。
第１の問題点は、従来の本立は床に設置するものであるので、設置箇所が限定され、設置する場合に自由度が少ないという点である。
第２の問題点は、地震等で揺れた場合には倒れる危険があり、それを防止するには何らかの対策を講じておく必要があるという点である。
【０００４】
（問題点の説明）
まず第１の問題点について説明する。従来の本立は床に設置するものであるので、その設置場所は、自ずと壁を背にした床部分に限られてしまっていた（もし壁から離して設置すると、不安定であるし、本立の背部付近の空間の使い勝手が悪くなってしまう。）。即ち、本立を設置しようとしても、壁を背にした床部分の範囲内で設置箇所を選定するだけであるので、設置する場合の自由度は極めて少なかった。このことは、インテリアの配設を考える場合に、部屋のデザイン面においても、空間の有効利用の面においても、制約となるものであった。
【０００５】
次に第２の問題点について説明する。地震等で揺れた場合、床に置いただけの従来の本立は、当然のことながら倒れる危険がある。倒れるのを防止しようとするならば、何からの対策を講じておく必要があった。例えば、本立と背後の壁面とを、専用の固定金具によって固定したりしていた。
本発明は、以上のような問題点を解決することを課題とするものである。
【課題を解決するための手段】
【０００６】
前記課題を解決するため、本発明では、両側面を成す２つの側板と、該２つの側板間に間隔を置いて水平方向に固定された任意枚数の横板とから成る本立本体と、該本立本体の両側をそれぞれ別々に吊り下げるための吊ひもと、前記側板の上部に前記吊ひもを取り付けるために設けられた吊ひも取付部とを具え、室内壁面の上方に固定されたフックに前記吊ひもを引っ掛け、該吊ひもの長さを調節することにより、壁面上の任意の位置に設置し得るようにしたことを特徴とする吊本立を提供することとした。
【発明の効果】
【０００７】
本発明の吊本立によれば、次のような効果を奏する。
（１）壁面の任意の位置に設置出来る
本発明の吊本立は、壁面の上部からひもで吊るして壁面に設置するものであるので、ひもを引っ掛けるフックの左右方向の位置、及びひもの長さを調節することにより、床から天井までの壁面内の任意の位置に設置することが可能となる。例えば、本立を設置する場所としては殆ど使われていない鴨居と天井との間の壁面にも、本発明の吊本立は容易に設置することが出来る。
このことは、本立を設置し得る範囲が大幅に増大（設置の自由度が増大）することを物語っており、インテリアの配設を行う場合に、部屋のデザイン面や空間の有効利用の面において、従来より大幅に改善される。
（２）地震でも倒れず安全である
本発明の吊本立は、ひもで吊られているので、地震があっても、少し揺れるだけで倒れることはなく、安全である。
【発明を実施するための最良の形態】
【０００８】
以下、本発明の実施形態を図面に基づいて詳細に説明する。
図１は、本発明にかかわる吊本立の分解図を示す図である。図１において、１は吊本立、２，３はフック、４，５は吊ひも、４Ａ，４Ｂ，５Ａ，５Ｂはひも端部、６〜９はひも通し穴、１０は横板、１１，１２は側板、２０は本立本体である。
縦方向の両側の側板１１と１２の間には、釘等により適当な間隔を置いて横板１０が水平方向に固着され、これにより本立本体２０が構成される。横板１０の上に本が乗せられる。側板１１の上部には、ひも通し穴６，７が開けられ、側板１２の上部には、ひも通し穴８，９が開けられる。ひも通し穴６（８）とひも通し穴７（９）との側板幅方向の間隔は、なるべく広い方がよい。その方が、吊った場合の安定性が良くなるからである。なお、ひも通し穴６〜９は、「吊ひも取付部」の１例であり、後に述べるように他の手段を用いてもよい。
【０００９】
吊ひも４の一方のひも端部４Ａは、側板１１のひも通し穴６に通されて結び付けられ、他方のひも端部４Ｂはひも通し穴７に通されて結び付けられる。同様に、吊ひも５の一方のひも端部５Ａは側板１２のひも通し穴８に通され、他方のひも端部５Ｂはひも通し穴９に通され、それぞれ結び付けられる。かくして吊本立１が完成される。
そして、壁面にフック２，３を取付け、それに吊ひも４，５を引っ掛けることにより、吊本立１を吊り下げる。吊本立１は、フック２，３の位置や吊ひも４，５の長さを適宜調節することによって、壁面の任意の位置に吊り下げることが出来る。仮に、壁面の構造上、フック２とフック３とを同じ高さに設置できない場合でも、吊ひも４，５の長さを調節することにより、横板１０が水平になるよう吊り下げることが出来る。
図２は、そのようにして本発明の吊本立１を吊り下げた状態を示す図である。
【００１０】
なお、吊ひも４，５を側板１１，１２に取り付ける方法としては、ひも通し穴を通過させたひも端部と、通過させられていない部分のひもとを結ぶ方法（図２で図示する方法）以外の方法を採用しても勿論よい。
例えば、ひも通し穴の直径を、吊ひもの直径より少しだけ大なものとしておき、ひも通し穴を通過させたひも端部自身をひと結びして、結び目を作るという方法で取り付けてもよい。こうすると、結び目の部分の太さはひも通し穴より太くなり、吊ひもは抜けないから、側板に吊ひもがしっかりと取り付けられることになる。
図３は、吊ひもの結び目が抜けないようにして吊り下げた吊本立を示す図である。符号は図２のものに対応し、５Ｃ，５Ｄは結び目である。
【００１１】
この方法には、図２の如くひもとひもとを結んで取り付ける場合よりも、吊り下げ位置の調整がやり易いという利点がある。その理由は、図３のような結び目の位置は、次に説明するように、僅かの長さでも正確に変えることが出来るからである。
図４は、吊ひもの結び目を示す図であり、吊ひも５のひも端部５Ａ近くに結び目５Ｃを作った場合を示している。図４（１）は、ひも端部５Ａのすぐ近くに結び目５Ｃを作った例を示しているが、吊本立をもう少し上の位置に上げたいという場合には、結び目５Ｃをいったん緩め、図４（２）に示すように、ひも端部５Ａよりもう少し離れた上の位置に移動し、その位置で結び目５Ｃをしっかりと締め直せばよい。
この作業は、通常の人にとっても容易に行える作業である上、実際にやってみると分かることだが、僅かの長さの微妙な移動でも正確に行うことが出来る。そのため、吊り下げ位置の高さ調整を、容易にしかも極めて正確に行うことが出来る。
【００１２】
図５は、鴨居上に設置する吊本立を示す図である。通常の民家では、鴨居から天井までの高さは約５０ｃｍ程度ある。そして、その間に広がる壁面は、殆ど利用されていない。図５の吊本立１は、その側板１１，１２の高さを、鴨居から天井までの間にある壁面に設置し得る程度の、低い高さにしたものである。
図６は、そのような高さにした本発明の吊本立１を、鴨居上に設置した状態を示す図である。符号は図２のものに対応し、１４は天井隅横木、１５は鴨居である。先ず、フック２，３を、天井隅に張りめぐらしてある天井隅横木１４に取り付ける。次に吊本立１の下部後端を、鴨居１５に乗せる。最後に吊ひも４，５をフック２，３に引っかけ、吊ひもの長さを調整する。
この場合、吊本立１の重量およびそこに乗せた本の重量の殆ど全部は、鴨居１５で支えられる。吊ひも４，５は、吊り上げる力により吊本立１の姿勢を垂直に保つと共に、地震等で揺れて吊本立１が鴨居１５から外れた場合でも、落下を防止するという役割を果たすことになる。
本発明の吊本立１をこのように利用すれば、殆ど利用されていない鴨居から天井までの壁面に、相当数の本を直ちに手に取って利用し得る形態で収納することが可能となる。
【００１３】
なお、前記した例では、吊ひも取付部としてはひも通し穴を設け、吊ひもと側板との接続を、該ひも通し穴に吊ひもを通して行うようにしているが、これは製造コストを出来るだけ低減するためにしていることであり、同等の機能を果す他の手段を用いてもよい。例えば、吊ひも取付部として、ひもが通せる輪状部分を有する金具を用いることとし、それを側板の上部に固着しておくことも出来る。
吊ひもと側板との接続は、吊ひもの端部にフック状の金具を予め付けておき、そのフックをひも通し穴や上記の金具に引っ掛けて吊るというようにしてもよい。また、吊ひもの長さ調節ができるバックル状の金具を、吊ひもの途中に設けてもよい。吊ひもとしても、単に天然繊維，合成繊維のひもに限らず、金属の鎖を用いてもよい。
なお吊ひも４，５を引っ掛けるフック２，３の代わりに、通常の釘を用いてもよい。
【図面の簡単な説明】
【００１４】
【図１】本発明にかかわる吊本立の分解図を示す図
【図２】本発明の吊本立を吊り下げた状態を示す図
【図３】吊ひもの結び目が抜けないようにして吊り下げた吊本立を示す図
【図４】吊ひもの結び目を示す図
【図５】鴨居上に設置する吊本立を示す図
【図６】本発明の吊本立を鴨居上に設置した状態を示す図
【符号の説明】
【００１５】
１…吊本立、２，３…フック、４，５…吊ひも、４Ａ，４Ｂ，５Ａ，５Ｂ…ひも端部、５Ｃ，５Ｄ…結び目、６〜９…ひも通し穴、１０…横板、１１，１２…側板、１３…仕切板、１４…天井隅横木、１５…鴨居、２０…本立本体
【図１】
2005270205.tif 000003
【図２】
2005270205.tif 000004
【図３】
2005270205.tif 000005
【図４】
2005270205.tif 000006
【図５】
2005270205.tif 000007
【図６】
2005270205.tif 000008